(57)【要約】    【課題】ボール・ベアリングの低温時に発生するグリースの粘性増加による障害、及び振動が加わることでボールと内輪或いは外輪双方が接触し磨耗を起こすフレッチングを防止する。    【解決手段】ボール・ベアリング１１１は、外輪１１１５と内輪１１１４の間にボール１１１１が複数個配置される。ボール１１１１と内輪１１１４および外輪１１１５の間にはグリース１１１６が充填されている。保持器１１１２には、スプリング・プレート１１２０が設けられ、その先端はボール１１１１に常に接触した状態とする。スプリング・プレート１１２０は、ボール１１１１に傷がつかないように、ボール１１１１の材質より十分軟らかい材質とする。実装方向はボール１１１１の回転をさせたい方向に沿う方向とする。スプリング・プレート１１２０の保持器１１１２との付け根の角度によりボール１１１１に対し適度なスプリング与圧をかけることができる。【選択図】図１
2006179104.tif 000002
【特許請求の範囲】
【請求項１】
情報を保持する磁気ディスクと、該磁気ディスクを回転軸に支持し回転させるスピンドル・モータと、該磁気ディスクに対して情報の記録または再生を行う磁気ヘッドと、該磁気ヘッドをサスペンションを介して支持するピボット・ハブと、該ピボット・ハブの回転中心となる回転中心軸と、該回転中心軸と前記ピボット・ハブの間に設けられ、ボールの回転を特定の方向に回転しずらくする機構を備えたボール・ベアリングとを有することを特徴とする磁気ディスク装置。
【請求項２】
前記ボール・ベアリングは前記ボールの間隔を制限する保持器を有し、前記ボールの回転を特定の方向に回転しずらくする機構は前記保持器に設けられ、前記ボールに接触するスプリング・プレートであることを特徴とする請求項１記載の磁気ディスク装置。
【請求項３】
前記スプリング・プレートは前記ボールよりも軟らかい材質で構成されていることを特徴とする請求項２記載の磁気ディスク装置。
【請求項４】
前記スプリング・プレートは前記ボールに対してスプリング与圧をかけるものであることを特徴とする請求項２記載の磁気ディスク生装置。
【請求項５】
前記ボール・ベアリングは前記ボールの間隔を制限する保持器を有し、前記ボールの回転を特定の方向に回転しずらくする機構は前記保持器に設けられ、前記ボールに接触する複数のスプリング・プレートを有するブッシュであることを特徴とする請求項１記載の磁気ディスク装置。
【請求項６】
前記スプリング・プレートは前記ボールよりも軟らかい材質で構成されていることを特徴とする請求項５記載の磁気ディスク装置。
【請求項７】
前記ボール・ベアリングは前記回転中心軸の両端に設けられ、前記ボールの回転しずらい方向が各々反対の方向であることを特徴とする請求項１記載の磁気ディスク装置。
【請求項８】
情報を保持する磁気ディスクと、該磁気ディスクを支持する回転軸と、該回転軸の回転中心となる固定軸と、該固定軸と前記回転軸の間に設けられ、ボールの回転を特定の方向に回転しずらくする機構を備えたボール・ベアリングと、前記磁気ディスクに対して情報の記録または再生を行う磁気ヘッドとを有することを特徴とする磁気ディスク装置。
【請求項９】
前記ボール・ベアリングは前記ボールの間隔を制限する保持器を有し、前記ボールの回転を特定の方向に回転しずらくする機構は前記保持器に設けられ、前記ボールに接触するスプリング・プレートであることを特徴とする請求項８記載の磁気ディスク装置。
【請求項１０】
前記スプリング・プレートは前記ボールよりも軟らかい材質で構成されていることを特徴とする請求項９記載の磁気ディスク装置。
【請求項１１】
前記スプリング・プレートは前記ボールに対してスプリング与圧をかけるものであることを特徴とする請求項９記載の磁気ディスク生装置。
【請求項１２】
前記ボール・ベアリングは前記ボールの間隔を制限する保持器を有し、前記ボールの回転を特定の方向に回転しずらくする機構は前記保持器に設けられ、前記ボールに接触する複数のスプリング・プレートを有するブッシュであることを特徴とする請求項８記載の磁気ディスク装置。
【請求項１３】
前記スプリング・プレートは前記ボールよりも軟らかい材質で構成されていることを特徴とする請求項１２記載の磁気ディスク装置。
【請求項１４】
前記ボール・ベアリングは前記回転軸の両端に設けられ、前記ボールの回転しずらい方向が同じであることを特徴とする請求項８記載の磁気ディスク装置。
【発明の詳細な説明】
【技術分野】
【０００１】
本発明は磁気ディスク装置に係り、特に磁気ヘッドを回転支持するキャリッジの軸受機構および磁気ディスクを回転支持するスピンドル・モータの軸受機構に関する。
【背景技術】
【０００２】
従来から磁気ディスク装置（以下ＨＤＤと云う）では、磁気ディスク上に磁気的に情報を記録再生する磁気ヘッドを支持しているキャリッジ・ハブとキャリッジ・ハブの回転中心軸との間にボール・ベアリングが用いられている。また、磁気ディスクを回転させるためのスピンドル・モータの回転軸と固定軸の間にもボール・ベアリングが用いられている。ボール・ベアリングは、その基本的な使用方法から、回転軸の上下に２個設けられる。このボール・ベアリングは外輪と内輪とその間にボールを複数介在させて内輪或いは外輪を回転させるものである。また、ボールは保持器によってボールの間隔が一定に保持されていて、回転をスムーズにするために、ボールと内外輪の間にグリースが充填されている。このグリースが飛散しないように、内輪から外輪にわたって保持器の部分を覆うようにシールドが設けられている。
【０００３】
特許文献１には、情報機器の回転軸用転がり軸受において、グリースや潤滑油の攪拌抵抗により発生する低速回転時における回転トルク変動を低く押えるために、転がり軸受の摩擦面に、４０°Ｃでの動粘度が２５〜１５０ｍｍ２／ｓのエステル系潤滑油を滴下したり、オイルプレーティングすること等によって潤滑油膜を形成する技術が記載されている。
【０００４】
【特許文献１】特開２０００−１０５９８３号公報
【発明の開示】
【発明が解決しようとする課題】
【０００５】
ＨＤＤは従来、サーバの外部記憶装置としての用途が多く、その環境はエアコンが備えられた専用の部屋に設置される等、モバイル用途においても、人間が使用する環境の範囲であり、使用環境条件が整っていたが、近年では更なる小型化、大容量化、高速化、低価格化が達成されて、これまでの使用用途以外に自動車に搭載される等、使用環境も厳しくなってきた。ＨＤＤはその使用用途から使用温度範囲は、通常、パソコンに実装されるもので０〜６０°Ｃ、自動車に搭載されるものでは−３０〜８５°Ｃを要求されている。特に０°Ｃ以下の低温の環境においては、ベアリングのグリースの粘度が大きくなり、キャリッジの回転角度が比較的小さい範囲で繰り返し揺動した場合、揺動した範囲のグリースは繰り返し通過するボールによってグリースが薄くなり、かき寄せられた分は折り返しの部分に寄せられていく現象が発生する。キャリッジがこの範囲でのみ動作を繰り返すだけであれば問題無いが、次にキャリッジがこれまでの揺動範囲を超えようとした時、ボールはこれまでに形成されたグリースの山を越えることになる。この時、キャリッジの回転力に対して大きな抵抗を発生させる。
【０００６】
ＨＤＤは、キャリッジの揺動に対し発生する外力を一定の間隔で学習し、所望の位置にキャリッジを回転移動するためのボイス・コイル・モータ（ＶＣＭ）のコイルに通電する電流値を設定しているが、前記の現象でキャリッジの回転に大きな抵抗が発生した場合は、前記の学習によって設定された電流値をはるかに超えるため、所定の時間内にキャリッジの回転移動が終了しないことから、ＨＤＤはタイムアウトの異常状態を示す警告を出し、停止或いはキャリッジの暴走に至る。磁気ヘッドが磁気ディスク上を浮上している状態で磁気ディスクの回転が止まると、磁気ヘッドが磁気ディスク表面に吸着したまま停止してしまうという重大な事故に至る問題がある。
【０００７】
また、特に輸送中などの装置が停止している状態の時、ボールと内輪或いは外輪の位置関係が常に同じである時に、輸送トラックなどに積まれて振動が加わることで、ボールと内輪或いは外輪双方が接触し磨耗を起こすいわゆるフレッチング磨耗の問題がある。
【０００８】
本発明の目的は、ベアリングのボールが接触する部分に、ボールが特定の方向には他の方向よりも比較的回転しずらくする機構を設けることにより、上記従来の問題を解決することである。
【課題を解決するための手段】
【０００９】
上記目的を達成するために、本発明の磁気ディスク装置においては、情報を保持する磁気ディスクと、該磁気ディスクを回転軸に支持し回転させるスピンドル・モータと、該磁気ディスクに対して情報の記録または再生を行う磁気ヘッドと、該磁気ヘッドをサスペンションを介して支持するピボット・ハブと、該ピボット・ハブの回転中心となる回転中心軸と、該回転中心軸と前記ピボット・ハブの間に設けられ、ボールの回転を特定の方向に回転しずらくする機構を備えたボール・ベアリングとを有することを特徴とする。
【００１０】
前記ボール・ベアリングは前記ボールの間隔を制限する保持器を有し、前記ボールの回転を特定の方向に回転しずらくする機構は前記保持器に設けられ、前記ボールに接触するスプリング・プレートである。
【００１１】
前記スプリング・プレートは前記ボールよりも軟らかい材質で構成されていることが望ましい。
【００１２】
前記スプリング・プレートは前記ボールに対してスプリング与圧をかけるものである。
【００１３】
前記ボール・ベアリングは前記ボールの間隔を制限する保持器を有し、前記ボールの回転を特定の方向に回転しずらくする機構は前記保持器に設けられ、前記ボールに接触する複数のスプリング・プレートを有するブッシュであっても良い。
【００１４】
前記ブッシュのスプリング・プレートは前記ボールよりも軟らかい材質で構成されていることが望ましい。
【００１５】
前記ボール・ベアリングは前記回転中心軸の両端に設けられ、前記ボールの回転しずらい方向が各々反対の方向であることが望ましい。
【００１６】
上記目的を達成するために、本発明の磁気ディスク装置は、情報を保持する磁気ディスクと、該磁気ディスクを支持する回転軸と、該回転軸の回転中心となる固定軸と、該固定軸と前記回転軸の間に設けられ、ボールの回転を特定の方向に回転しずらくする機構を備えたボール・ベアリングと、前記磁気ディスクに対して情報の記録または再生を行う磁気ヘッドとを有することを特徴とする。
【００１７】
前記ボール・ベアリングは前記ボールの間隔を制限する保持器を有し、前記ボールの回転を特定の方向に回転しずらくする機構は前記保持器に設けられ、前記ボールに接触するスプリング・プレートである。
【００１８】
前記スプリング・プレートは前記ボールよりも軟らかい材質で構成されていることが望ましい。
【００１９】
前記スプリング・プレートは前記ボールに対してスプリング与圧をかけるものである。
【００２０】
前記ボール・ベアリングは前記ボールの間隔を制限する保持器を有し、前記ボールの回転を特定の方向に回転しずらくする機構は前記保持器に設けられ、前記ボールに接触する複数のスプリング・プレートを有するブッシュであっても良い。
【００２１】
前記ブッシュのスプリング・プレートは前記ボールよりも軟らかい材質で構成されていることが望ましい。
【００２２】
前記ボール・ベアリングは前記回転軸の両端に設けられ、前記ボールの回転しずらい方向が同じである。
【発明の効果】
【００２３】
本発明によれば、低温時に発生するボール・ベアリングのグリースの粘性増加による障害を防止することができる。また、輸送トラックなどに積まれて振動が加わることで、ボールと内輪或いは外輪双方が接触し磨耗を起こすいわゆるフレッチング磨耗を防止することが可能となる。
【発明を実施するための最良の形態】
【００２４】
まず、図６及び図７を参照してＨＤＤの基本構成を説明する。ガラスまたはアルミの基板の表面に磁性膜が形成され、情報を記録保持するための磁気ディスク１３は、磁気ディスク１３を高速、一定のスピードで精度良く回転させるためのスピンドル・モータ６２の回転軸に装着され、ネジ１２２にてアルミまたは鉄またはステンレスのクランプ１２１を介して回転軸に固定されている。回転する磁気ディスク１３上に数ナノミリの間隔で浮上するスライダと磁気ディスク１３に情報を記録再生するための電磁変換素子とからなる磁気ヘッド５は、アルミまたは鉄またはステンレスを素材とするサスペンション４に接着或いは半田付けにて保持され、磁気ディスク１３上を一定の間隔を保ちながら安定浮上する。
【００２５】
サスペンション４を支持するアルミまたは鉄またはマグネシウムまたはステンレスを素材とするヘッド・アーム３は、磁気ヘッド５を磁気ディスク１３上で移送するために、ピボット・ベアリング１により軸支されている。ピボット・ベアリング１は、ステンレスまたはアルミまたは鉄を素材とする回転中心軸１１２と、回転中心軸１１２の両端にボール・ベアリング１１１を介して設けられた鉄またはステンレスまたはアルミを素材とするピボット・ハブ１１３とで構成される。ヘッド・アーム３を回転駆動するため、ステンレスまたは鉄を素材とした下ヨーク１０及び上ヨーク１１とそのどちらか、あるいは両方に接着で設けられた永久磁石７からなるＶＣＭがベース６１に設けられている。下ヨーク１０と永久磁石７との隙間にリード線を巻き線し成型したコイル８１が配置される。ヘッド・アーム３とコイル８１を接着した鉄またはステンレスまたはアルミを素材とするコイル・スペーサ８２は、ピボット・ハブ１１３に積層されて鉄またはステンレスまたはアルミを素材とするナット１１６にてピボット・ハブ１１３にネジ或いは接着にて固定されている。
【００２６】
回転中心軸１１２を中心に回転する組立体をキャリッジといい、これらは回転中心軸１１２を慣性中心とし、ＨＤＤがどのような角度で置かれても、キャリッジの回転力にばらつきが生じないよう、また衝撃が印加されてもキャリッジが動かないようにバランスよく設計されている。磁気ヘッド５の電気信号はヘッド・アーム３に接着或いはかしめ、或いははめ込みにて固定されたリード線（図示せず）、またはＦＰＣ（フレキシブルプリント基板）にて、磁気ヘッド５の信号を制御するリード／ライト・アンプ(図示せず)を搭載したリード／ライト回路基板２０を介してＨＤＤ外に伝達するためのＨＤＤコネクタ２１に接続されている。コイル８１の電源も同様にＨＤＤコネクタ２１に接続されている。リード／ライト回路基板２０はネジ２２にてベース６１に固定されている。
【００２７】
ＨＤＤは記憶容量を得るために、磁気ディスク１３を複数枚設けているものがあり、その場合、その磁気ディスク１３面に対して各々磁気ヘッド５が存在するため、磁気ディスク１３と磁気ディスク１３の間には鉄またはステンレスまたはアルミを素材とするディスク・スペーサ９を介在させており、ヘッド・アーム３とヘッド・アーム３の間には鉄またはステンレスまたはアルミを素材とするアーム・スペーサ２を介在させて間隔を精度良く一定に保っている。
【００２８】
スピンドル・モータ６２及びキャリッジの回転中心軸１１２は各々の位置間隔を精度良くアルミまたはマグネシウムまたは鉄またはステンレスを素材とするベース６１に対し、スピンドル・モータ６２はネジ或いははめ込み接着（図示せず）にて、またキャリッジの回転中心軸１１２はネジ１１４及びネジ１１５にて固定されている。
【００２９】
ＨＤＤは、外部からの衝撃で、磁気ディスク１３上の情報を磁気ヘッド５の衝突で破壊しないように、磁気ディスク１３上に情報を記録または再生する動作が必要な時以外は、磁気ヘッド５を磁気ディスク１３上から退避させている。このとき磁気ヘッド５はベース６１にネジ１９或いは接着固定にて設けられたプラスチックを素材とするランプ１８の側面に成型されたスロープ状の溝にサスペンション４の先端を挿入、スライドさせ、磁気ヘッド５間の干渉が起こらないような間隔を保った状態で保持され、また、磁気ヘッド５がランプ１８上から外れないようにコイル・スペーサ８２に設けられたプラスチック或いはアルミまたはマグネシウムまたは鉄またはステンレスを素材とする引っかかり部２４をプラスチックを素材とするラッチ・レバー２５１に引っ掛けてキャリッジを固定している。ラッチ・レバー２５１はキャリッジを引っ掛ける部分の反対側に永久磁石のラッチ・マグネット２５２を接着あるいははめ込みにより設けており、ラッチ・レバー２５１に穴を設け、ピン２５３にてベース６１の内面にラッチ・レバー２５１が回転可能な状態で固定されている。ラッチ・レバー２５１はラッチ・コイル２６に通電することによってラッチ・マグネット２５２を引き寄せ回転する。通電していない時は慣性のバランスにより離れるように設計されている。
【００３０】
ＨＤＤは磁気ヘッド５と磁気ディスク１３間に塵埃等の介在により、情報の記録あるいは再生の動作が妨げられないように、鉄またはステンレスまたはアルミまたは黄銅を素材とするカバー１４を設けてベース６１とにより密閉を保っており、その密閉体内を浮遊する塵埃を捕獲するフィルタ２７をベース６１に成型した溝にはめ込む、または接着することにより設けている。また、腐食性のガスを吸着したり、外気との呼吸による塵埃を遮断するためのカバー１４にネジあるいは接着にて固定された呼吸フィルタ２８を介してＨＤＤ内に進入する水蒸気を吸着したりするための活性炭２９をベース６１にネジ１９或いは接着固定にて設けている。これらベース６１とカバー１４にて密閉された密閉体をエンクロージャと呼ぶ。
【００３１】
エンクロージャ内の磁気ヘッド５の信号、コイル８１の電流はプラスチックに鉄またはステンレスまたはアルミまたは黄銅を素材とするＨＤＤコネクタ２１によって装置を制御するための、ガラスエポキシを積層し素子を多数半田付けしたメイン基板１６に伝達される。また、スピンドル・モータ６２を駆動する電流及びラッチ・コイル２６の電流も同様にメイン基板１６に伝達される。メイン基板１６はベース６１にネジ１５或いは接着にて固定されている。
【００３２】
次にキャリッジに組み込まれているボール・ベアリングの詳細を、図８〜図１４を用い以下に説明する。図７は回転中心軸１１２、ボール・ベアリング１１１、ピボット・ハブ１１３の実装状態を示す。ピボット・ハブ１１３とボール・ベアリング１１１及び回転中心軸１１２とボール・ベアリング１１１の間は圧入或いは圧入と接着の併用にて組み立てられている。
【００３３】
図９はボール・ベアリング１１１の基本構成を示す断面図である。鉄またはステンレスまたはアルミを素材とする円筒形状の外輪１１１５と内輪１１１４と、その間に鉄またはステンレスまたはアルミまたはセラミックスを素材とするボール１１１１を複数個介在させて内輪１１１４或いは外輪１１１５を回転させるものである。また、ボール１１１１は鉄またはステンレスまたはアルミまたはプラスチックを素材とする保持器１１１２によってボール１１１１の間隔が一定に保持されていて、回転をスムーズにするために、ボール１１１１と内輪１１１４および外輪１１１５の間にグリース１１１６（図１２参照）が充填されている。このグリースが飛散しないように、内輪１１１４から外輪１１１５にわたって保持器１１１２の部分を覆うように鉄またはステンレスまたはアルミまたはプラスチックを素材とするシールド１１１３が設けられている。
【００３４】
図１０はボール・ベアリング１１１の上面図である。ボール１１１１を１２個使用した例である。図６及び図７の例では中心軸１１２に内輪１１１４が固定されているため、回転するのは外輪１１１５の方である。実使用上キャリッジの動作は決まった角度の範囲内で揺動するため、外輪１１１５及びボール１１１１は決まった角度範囲内でしか移動しない。
【００３５】
図１１は図９のＡ−Ａ線断面図である。ボール１１１１は上側保持器１１１２と下側保持器１１１２に囲われた状態でボール１１１１の間隔が一定に保たれている。図１２は図１０のＢ部拡大図であり、従来のボール・ベアリング１１１の低温での現象を示す。低温の環境においては、ボール・ベアリング１１１のグリース１１１６の粘度が大きくなり、キャリッジの回転角度が比較的小さい範囲で繰り返し揺動した場合、揺動した範囲のグリース１１１６は繰り返し通過するボール１１１１によってグリース１１１６が薄くなり、かき寄せられた分は折り返しの部分に寄せられていく現象が発生する。キャリッジがこの範囲でのみ動作を繰り返すだけであれば問題無いが、次にキャリッジがこれまでの揺動範囲を超えようとした時、ボール１１１１はこれまでに形成されたグリース１１１６の山を越えることになる。この時、キャリッジの回転力に対して大きな抵抗を発生させる。
【００３６】
ＨＤＤは、キャリッジの揺動に対し発生する外力を一定の間隔で学習し、所望の位置にキャリッジを回転移動するためのＶＣＭのコイル８１に通電する電流値を設定しているが、前記の現象でキャリッジの回転に大きな抵抗が発生した場合は、前記の学習によって設定された電流値をはるかに超えるため、所定の時間内にキャリッジの回転移動が終了しないことから、ＨＤＤはタイムアウトの異常状態を示す警告を出し、停止或いはキャリッジの暴走に至る。磁気ヘッド５が磁気ディスク１３上にある状態で磁気ディスク１３の回転が止まると、磁気ヘッド５磁気ディスク１３上に吸着したまま停止してしまうという重大な事故に至る恐れがあった。図１３は図１０の詳細図で、内輪１１１４と外輪１１１５とボール１１１１と保持器１１１２の関係を示している。図１４は図１３の保持器１１１２の形状を示す斜視図である。
【００３７】
次に図１〜図５参照して本発明の実施例を説明する。図１及び図２は本発明の第１の実施例を示す図である。保持器１１１２に、鉄またはステンレスまたはアルミまたはプラスチックを素材とするスプリング・プレート１１２０が設けられている。スプリング・プレート１１２０はボール１１１１を特定の方向に回転しずらくする機構である。スプリング・プレート１１２０の先端はボール１１１１に常に接触した状態とする。スプリング・プレート１１２０の材質は、ボール１１１１に傷がつかないように、ボール１１１１の材質より十分軟らかい材質である。実装方向はボール１１１１の回転をさせたい方向に沿う方向とする。スプリング・プレート１１２０の保持器１１１２との付け根の角度によりボール１１１１に対し適度なスプリング与圧をかけておくことで、ボール１１１１との接触により磨耗が発生しても、ボール１１１１に対して常にスプリング与圧がかかるようにしている。なお、スプリング・プレート１１２０は保持器１１１２と一体成型されていても良い。
【００３８】
外輪１１１５が揺動した時、図１に示すようにスプリング・プレート１１２０を配置している場合は、矢印の方向にボール１１１１が回転する方向には容易に回転し、矢印と逆に回転する場合はスプリング・プレート１１２０の抵抗が付加されるために、矢印の方向よりも比較的回転しずらい状況になる。ボール１１１１の回転方向は特定の一方向であり、ボール１１１１が回転する方向にかき寄せられたグリース１１１６は、キャリッジが逆方向に回転するときには元に戻りやすくなっている。したがって、低温動作中であっても、グリース１１１６がかき寄せられてグリースの山ができるという現象はなくなるため、前述の問題は解決される。尚、ボール・ベアリング１１１は回転中心軸１１２の両端に２個設けられるので、回転のしずらい方向をそれぞれ逆の向きに配置することでキャリッジの回転抵抗をどちらの回転方向も同等とすることができる。また、上記ボール・ベアリングを使用することにより、ＨＤＤが輸送トラックなどに積まれてＨＤＤに振動が加わった場合、ボールは決まった方向にしか回転しないので、ボールと内輪或いは外輪双方が接触する箇所が常に異なるので、フレッチング磨耗を防止することが可能となる。
【００３９】
図３〜図５は本発明の第２の実施例を示す。この実施例は保持器１１１２の材質がプラスチックの場合を想定した例であり、保持器１１１２のボール１１１１を保持する部分の間にブッシュ１１３０を設けるものである。ブッシュ１１３０には、図３〜図５に示すように上記第１の実施例と同様の機能を有する複数のスプリング・プレート１１４０が設けられている。スプリング・プレート１１４０の先端はボール１１１１に常に接触した状態とする。スプリング・プレート１１４０の材質は、ボール１１１１に傷がつかないように、ボール１１１１の材質より十分軟らかい材質である。実装方向はボール１１１１の回転をさせたい方向に沿う方向とする。スプリング・プレート１１４０の保持器１１１２との付け根の角度によりボール１１１１に対し適度なスプリング与圧をかけておくことで、ボール１１１１との接触により磨耗が発生しても、ボール１１１１に対して常にスプリング与圧がかかるようにしている。なお、ブッシュ１１３０は保持器１１１２と一体成型されていても良い。
【００４０】
第２の実施例においても上記第１の実施例と同様の効果を得ることができるが、第２の実施例の場合は、ブッシュ１１３０に複数のスプリング・プレート１１４０が設けられているので、上記第１の実施例よりもボール１１１１の回転を特定の方向に回転しずらくすることができる。
【００４１】
上記第１及び第２の実施例によるボール・ベアリング１１１は、磁気ディスク１３を回転させるスピンドル・モータ６２の軸受に用いることもできる。ＨＤＤが輸送トラックなどに積まれてＨＤＤに振動が加わった場合、ボールは決まった方向にしか回転しないので、ボールと内輪或いは外輪の相対位置は常に移動することからフレッチング磨耗の問題を回避することができる。
【００４２】
以上説明したように、本発明の実施例によれば、ボール・ベアリングのボールを特定の方向には回転しずらくすることで、ボール・ベアリングの低温時に発生するグリースの粘性増加によるＨＤＤの障害を防止することが可能となる。また、ＨＤＤに振動が加わった場合、ボールと内輪或いは外輪の相対位置は常に移動することからフレッチング磨耗の問題を回避することができる。
【図面の簡単な説明】
【００４３】
【図１】本発明の第１の実施例によるボール・ベアリングの上面図である。
【図２】第１の実施例の保持器の部分斜視図である。
【図３】第２の実施例によるボール・ベアリングの上面図である。
【図４】第２の実施例の保持器の上面図である。
【図５】第２の実施例の保持器の部分斜視図である。
【図６】本発明の実施例によるボール・ベアリングが使用される磁気ディスク装置の上面図である。
【図７】図６に示す磁気ディスク装置の断面図である。
【図８】ボール・ベアリングの実装状態を示す図である。
【図９】ボール・ベアリングの基本構成を示す断面図である。
【図１０】図９に示すボール・ベアリングの上面図である。
【図１１】図９に示すボール・ベアリングのボールと保持器の側面図である。
【図１２】図９に示すボール・ベアリングの低温時のグリースの状態を示す図である。
【図１３】図９に示すボール・ベアリングの動作を示す上面図である。
【図１４】図９に示すボール・ベアリングの保持器の部分斜視図である。
【符号の説明】
【００４４】
１…ピボット・ベアリング、
２…アーム・スペーサ、
３…ヘッド・アーム、
４…サスペンション、
５…磁気ヘッド、
６１…ベース、
６２…スピンドル・モータ、
７…永久磁石、
８１…コイル、
８２…コイル・スペーサ、
９…ディスク・スペーサ、
１０…下ヨーク、
１１…上ヨーク、
１２…クランプ機構、
１２１…クランプ、
１２２…ネジ、
１３…磁気ディスク、
１４…カバー、
１５，１７，１９，２２…ネジ、
１６…メイン基板、
１８…ランプ、
２０…リード／ライト回路基板、
２１…ＨＤＤコネクタ、
１１１…ボール・ベアリング、
１１２…回転中心軸、
１１３…ピボット・ハブ、
１１４，１１５…ネジ、
１１６…ナット、
１１１１…ボール、
１１１２…保持器、
１１１３…シールド、
１１１４…内輪、
１１１５…外輪、
１１１６…グリース、
１１２０…スプリング・プレート
１１３０…ブッシュ、
１１４０…スプリング・プレート。
【図１】
2006179104.tif 000003
【図２】
2006179104.tif 000004
【図３】
2006179104.tif 000005
【図４】
2006179104.tif 000006
【図５】
2006179104.tif 000007
【図６】
2006179104.tif 000008
【図７】
2006179104.tif 000009
【図８】
2006179104.tif 000010
【図９】
2006179104.tif 000011
【図１０】
2006179104.tif 000012
【図１１】
2006179104.tif 000013
【図１２】
2006179104.tif 000014
【図１３】
2006179104.tif 000015
【図１４】
2006179104.tif 000016